(57)【要約】      （修正有）【課題】従来の雑誌を通じた商品販売は、雑誌購入者がＩＤ番号を入力し、商品の購入を行い、加盟店が顧客にサービスを提供するシステムは存在しなかった。また、商品の売上げを加盟店等で分配するシステムは存在しなかった。【解決手段】ＩＤ番号を付した雑誌と、雑誌を持参した顧客にサービスを提供する加盟店と、雑誌を取扱う代理店、雑誌を販売する配布店と、雑誌の製作・ビジネス全体を統括する本社と、顧客等の端末装置と、本社のコンピュータは登録部と、照合部と、演算部を備え、これらをネットワークで接続した販売システムであって、顧客の情報がコンピュータに入力された後、照合部と演算部を利用し、加盟店等に売上手数料が支払われ、顧客の情報と、加盟店等に対する売上手数料の支払を、端末装置で加盟店等に通知し、かつ注文商品の商品番号を登録、かつ累計する構成である。【選択図】図１
2010257419.tif 000002
【特許請求の範囲】
【請求項１】
顧客に提供される雑誌と、この雑誌に広告を載せ、当該雑誌を持参した前記顧客にサービスを提供する加盟店と、前記雑誌を取扱う代理店、又はこの雑誌を販売する配布店と、この雑誌の製作、及びこの加盟店、代理店、又は配布店とのビジネス全体を統括する本社と、前記顧客の端末装置と、前記加盟店、代理店、又は配布店の端末装置と、前記本社のコンピュータをネットワークで接続した販売システムであって、
前記雑誌には、前記加盟店、代理店、又は配布店の各コードと、地域コード、店舗コード、商品コード等を付したＩＤ番号を設け、
また前記コンピュータは、前記ＩＤ番号の登録を行う登録部と、このＩＤ番号を照合する照合部と、又はこのＩＤ番号を基に、売上手数料の分配を演算する演算部を備えており、
前記顧客が、ＩＤ番号を基に商品の注文をした場合に、前記本社のコンピュータに情報が入力されるとともに、前記演算部を利用して、前記加盟店、代理店、又は配布店、本社に分配される売上手数料を演算する構造とし、
前記各端末装置と、前記本社のコンピュータを、ネットワークを通じて、接続するとともに、前記顧客の情報と、前記加盟店、代理店、配布店、又は本社に対するそれぞれ売上手数料の支払を、前記各端末装置を介して、この加盟店、代理店、配布店、又は本社に通知し、かつ前記コンピュータに注文商品の商品番号を登録、かつ累計する構成とした販売システム。
【請求項２】
請求項１に記載の販売システムにおいて、
前記コンピュータには、前記顧客、本社、加盟店、代理店、又は配布店が、新規加盟店、新規代理店、又は新規配布店を検索する検索部を備えており、この検索部にアクセスすることにより、この新規加盟店、新規代理店、又は新規配布店を検索できることを特徴とする販売システム。
【請求項３】
請求項１に記載の販売システムにおいて、
前記コンピュータに備えた演算部には、前記加盟店、代理店、又は配布店が、前記ネットワークを通じて、新規客が、前記雑誌に掲載されたスポンサーページの商品を購入し、売上が発生した場合には、この加盟店、代理店、又は配布店に対する売上手数料を演算する演算補助部を付加できることを特徴とする販売システム。
【発明の詳細な説明】
【技術分野】
【０００１】
本発明は、雑誌及びインターネットを利用して商品販売を行い、加盟店が顧客にサービスを提供し、この商品で得た利益を加盟店、配布店、代理店、本社に分配する販売システムである。
【背景技術】
【０００２】
近年においてはインターネットを利用した通信販売が普及している。このインターネットを利用した通信販売は、顧客は実際に店頭に出向くことなくパソコンの画面上で商品を購入することができるため、非常に便利な商品購入方法である。しかし、このインターネットを利用した通信販売は、全ての人が、利用するものでなく、殊に、老人等の如く、パソコン操作が苦手な人にとっては、厄介なものである。また、インターネットを利用した通信販売は、短時間に判断する必要と、画面が消失することもあって、厄介であり、まごつくことがある。
【０００３】
以上の状況を鑑み、このインターネット等を利用した通信販売に関連する特許文献１〜特許文献４を説明する。
【０００４】
特許文献１は、特開２００２−９２５２６の「ディレードクレジット販売システム」で、ネットワークを利用したクレジット販売システムであり、加盟店に対して、例えば、顧客の属性情報や価格等の商品購入情報を基に審査を行なって、エントリ画面及びＩＤ番号発行画面によってＩＤ番号を発行する。そして、顧客は、このＩＤ番号と、氏名、メールアドレスを基に、商品の購入と、その決済を行なう、商品購入、金銭方法である。従って、この商品の購入と、その決済を居ながらにして行な得る特徴がある。しかし、この発明は、前述した、インターネットの問題点を抱えている。また、システム運営センタと、加盟店と、顧客がインターネットを介して接続されたクレジット販売システムであって、販路の広がりに欠ける問題点が挙げられる。
【０００５】
また、特許文献２は、特開２００２−２３６８３４の「電子商取引方法」で、電子ショッピングサイト加盟店は、パートナー名、広告媒体、今までの評価、エリア、特色の欄の他に登録店舗からのリクエスト欄、登録店舗からのリクエストの状況、登録店舗に対する許可状況か、又はアフィリエイトＩＤの発行の有無か等を、ショッピングサイト登録し、ショップサイトＩＤを取得し、販促パートナーとなった後、この各販促パートナーの中で選択されたものがアフィリエイトＩＤを取得する。そして、商品の取引が成立した場合には、このアフィリエイトＩＤ取得者に報酬の支払い、及び出展店舗としてのサービス料を行なうことを特徴とする。しかし、この発明は、前述した、インターネットの問題点を抱えている。また、電子ショッピングサイトと、多数の販促パートナーと、顧客がインターネットを介して、商品の売買と、報酬の支払い業務を行なう構造であり、販路の広がりに欠ける問題点が挙げられる。
【０００６】
さらに、特許文献３は、特開２００３−８５４５３の「Ｗｅｂコンテンツ利用料金支払システム」で、通信ネットワークを介して利用者に各種著作物の閲覧、ダウンロード、商品購入、商品売買の仲介、オークション等のコンテンツで構成されたＷｅｂサービスの提供であり、このＷｅｂサービスを受けるためには、ユーザーがＩＤ番号を取得する必要がある。このＩＤ番号を取得後は、これを利用して、かつ通信ネットワークを介して商品購入、商品落札、又は支払い等が行える構造である。従って、通信ネットワークを最大限に利用できる特徴がある。この発明は、前述した、インターネットの問題点を抱えている。また、通信ネットワークの利用者と、この利用者相互間か、又はシステムセンタを介在した商品の売買と、支払い業務を行なう構造であり、販路の広がりに欠ける問題点が挙げられる。
【０００７】
また、特許文献４は、特開２００６−３３１４３７の「決済方法、決済用情報処理方法、決済用情報処理システム及びプログラム」で、このシステムの利用者は、端末識別情報（携帯電話番号）、ＰＩＮコードと、自動引き落とし口座情報又はクレジットカード情報等の料金支払い取引情報と、・・・・・その他の利用者の氏名、住所、電話番号、メールアドレス等の情報とが関連付けられて登録される。また、各店舗は、店舗ＩＤ番号と、振り込み口座情報及び引き落とし口座情報と、その他の店舗の名称、住所、電話番号、ＦＡＸ番号等の情報とが関連付けられて登録される。従って、利用者は、ＰＩＮコード等を利用し、店舗ＩＤ番号を利用して商品購入し、決済機関を利用して、店舗側の口座に、直接、支払われる構造である。そして、この発明は、テレビショッピングやラジオショッピングの番組を視聴したり、雑誌等を見たりして商品等を購入する場合も同じように行えるとの記載がある。この発明は、前述した、インターネットの問題点を抱えている。また、雑誌等を見聞して商品等を購入する場合も同じように行えるとの記載があるが、その具体的な構造の開示がなく、発明が特定されていない。また、ＩＤを取得した店舗と、通信ネットワークの利用者と、この利用者相互間か、又は通信事業者を介在した商品の売買と、支払い業務を行なう構造であり、販路の広がりに欠ける問題点が挙げられる。
【０００８】
【特許文献１】特開２００３−１５０６７９
【特許文献２】特開２００２−２３６８３４
【特許文献３】特開２００３−８５４５３
【特許文献４】特開２００６−３３１４３７
【発明の概要】
【発明が解決しようとする課題】
【０００９】
しかし、特許文献１〜特許文献４は、その表題の如く、インターネットを利用した通信販売であって、不特定多数の消費者を対象とするので、商品の発注とか、在庫管理、或いは商品の取扱い、地域でのサービスを受けるにも厄介であり、地域に根付いた販売方法とは考えられない。
【００１０】
このような状況に鑑み、本発明は、特定多数の消費者を対象とし、身近に、商品の発注をし、かつこの商品の在庫管理、或いは商品の発注、取扱い、地域でのサービスを受けるに最適な方法であって、地域に根付いた販売方法を提供する。即ち、商品注文者は、雑誌を購入した顧客で、さらに雑誌に付与されたＩＤ番号及び顧客の氏名等を登録した者でなければ注文できない方法とし、また、雑誌を利用し、商品購入者がＩＤ番号を入力するシステムを採用することで、商品の売上げと、この売上に対する貢献度を考慮し、売上手数料を分配することで、各人の希望を叶えるとともに、仕事の充実感を喚起すること等を意図する。
【課題を解決するための手段】
【００１１】
請求項１の発明は、顧客の端末装置と、加盟店、代理店、又は配布店の端末装置と、本社のコンピュータをネットワークで接続しており、顧客は雑誌に付されたＩＤ番号を基に商品を注文するので、この商品の注文者の把握と、どのルートを介して、注文したかが（注文の履歴）判明し、売上手数料の演算に役立つこと、或いは容易に顧客の趣向を判断すること等を意図する。また、雑誌の広告、紹介記事等を基に、商品を注文する構造であり、いつでも、何処でも、自由な注文が図れること、自分で安心して、商品注文の所作が行えること、等の如く、ゆっくり、かつ安心して、注文できる構造の提案を意図する。そして、この雑誌のサービスを地元の店で身近に受け得ることから、重宝する。さらに、本社のコンピュータの照合部と演算部を利用する構造であり、加盟店、代理店、又は配布店に支払う売上手数料の演算の容易化と、簡便化等に寄与すること等を意図する。
【００１２】
請求項１の発明は、顧客に提供される雑誌と、この雑誌に広告を載せ、当該雑誌を持参した前記顧客にサービスを提供する加盟店と、前記雑誌を取扱う代理店、又はこの雑誌を販売する配布店と、この雑誌の製作、及びこの加盟店、代理店、又は配布店とのビジネス全体を統括する本社と、前記顧客の端末装置と、前記加盟店、代理店、又は配布店の端末装置と、前記本社のコンピュータをネットワークで接続した販売システムであって、
前記雑誌には、前記加盟店、代理店、又は配布店の各コードと、地域コード、店舗コード、商品コード等を付したＩＤ番号を設け、
また前記コンピュータは、前記ＩＤ番号の登録を行う登録部と、このＩＤ番号を照合する照合部と、又はこのＩＤ番号を基に、売上手数料の分配を演算する演算部を備えており、
前記顧客が、ＩＤ番号を基に商品の注文をした場合に、前記本社のコンピュータに情報が入力されるとともに、前記演算部を利用して、前記加盟店、代理店、又は配布店、本社に分配される売上手数料を演算する構造とし、
前記各端末装置と、前記本社のコンピュータを、ネットワークを通じて、接続するとともに、前記顧客の情報と、前記加盟店、代理店、配布店、又は本社に対するそれぞれ売上手数料の支払を、前記各端末装置を介して、この加盟店、代理店、配布店、又は本社に通知し、かつ前記コンピュータに注文商品の商品番号を登録、かつ累計する構成とした販売システムである。
【００１３】
請求項２の発明は、請求項１の目的を達成すること、この目的を達成するのに最適な検索部を提供することを意図する。
【００１４】
請求項２の発明は、請求項１に記載の販売システムにおいて、
前記コンピュータには、前記顧客、本社、加盟店、代理店、又は配布店が、新規加盟店、新規代理店、又は新規配布店を検索する検索部を備えており、この検索部にアクセスすることにより、この新規加盟店、新規代理店、又は新規配布店を検索できることを特徴とする販売システムである。
【００１５】
請求項３の発明は、請求項１の目的を達成すること、この目的を達成するのに最適な演算部を提供することを意図する。
【００１６】
請求項３の発明は、請求項１に記載の販売システムにおいて、
前記コンピュータに備えた演算部には、前記加盟店、代理店、又は配布店が、前記ネットワークを通じて、新規客が、前記雑誌に掲載されたスポンサーページの商品を購入し、売上が発生した場合には、この加盟店、代理店、又は配布店に対する売上手数料を演算する演算補助部を付加できることを特徴とする販売システムである。
【発明の効果】
【００１７】
請求項１の発明は、顧客に提供される雑誌と、雑誌に広告を載せ、雑誌を持参した顧客にサービスを提供する加盟店と、雑誌を取扱う代理店、又は雑誌を販売する配布店と、雑誌の製作、及び加盟店、代理店、又は配布店とのビジネス全体を統括する本社と、顧客の端末装置と、加盟店、代理店、又は配布店の端末装置と、本社のコンピュータをネットワークで接続した販売システムであって、
雑誌には、加盟店、代理店、又は配布店の各コードと、地域コード、店舗コード、商品コード等を付したＩＤ番号を設け、
またコンピュータは、ＩＤ番号の登録を行う登録部と、ＩＤ番号を照合する照合部と、又はＩＤ番号を基に、売上手数料の分配を演算する演算部を備えており、
顧客が、ＩＤ番号を基に商品の注文をした場合に、前社のコンピュータに情報が入力されるとともに、演算部を利用して、前記加盟店、代理店、又は配布店、本社に分配される売上手数料を演算する構造とし、
各端末装置と、本社のコンピュータを、ネットワークを通じて、接続するとともに、顧客の情報と、加盟店、代理店、配布店、又は本社に対するそれぞれ売上手数料の支払を、各端末装置を介して、加盟店、代理店、配布店、又は本社に通知し、かつ前記コンピュータに注文商品の商品番号を登録、かつ累計する構成とした販売システムである。
【００１８】
従って、請求項１は、顧客の端末装置と、加盟店、代理店、又は配布店の端末装置と、本社のコンピュータをネットワークで接続しており、顧客は雑誌に付されたＩＤ番号を基に商品を注文するので、この商品の注文者の把握と、どのルートを介して、注文したかが（注文の履歴）判明し、売上手数料の演算に役立つこと、或いは容易に顧客の趣向を判断すること等の特徴がある。また、雑誌の広告、紹介記事等を基に、商品を注文する構造であり、いつでも、何処でも、自由な注文が図れること、自分で安心して、商品注文の所作が行えること、等の如く、ゆっくり、かつ安心して、注文できる特徴がある。そして、この雑誌のサービスを地元の店で身近に受け得ることから、重宝する。さらに、本社のコンピュータの照合部と演算部を利用する構造であり、加盟店、代理店、又は配布店に支払う売上手数料の演算の容易化と、簡便化等に寄与できる特徴がある。
【００１９】
請求項２の発明は、請求項１に記載の販売システムにおいて、
コンピュータには、顧客、本社、加盟店、代理店、又は配布店が、新規加盟店、新規代理店、又は新規配布店を検索する検索部を備えており、検索部にアクセスすることにより、新規加盟店、新規代理店、又は新規配布店を検索できることを特徴とする販売システムである。
【００２０】
従って、請求項２は、請求項１の目的を達成できる特徴と、この目的を達成するに最適な、検索部の構造を提供できる特徴がある。
【００２１】
請求項３の発明は、請求項１に記載の販売システムにおいて、
コンピュータに備えた演算部には、前記加盟店、代理店、又は配布店が、ネットワークを通じて、新規客が、雑誌に掲載されたスポンサーページの商品を購入し、売上が発生した場合には、加盟店、代理店、又は配布店に対する売上手数料を演算する演算補助部を付加できることを特徴とする販売システムである。
【００２２】
従って、請求項３は、請求項１の目的を達成できる特徴と、この目的を達成するに最適な、演算補助部を提供できる特徴がある。
【図面の簡単な説明】
【００２３】
【図１】顧客の端末装置と、加盟店の端末装置と、代理店の端末装置と、配布店の端末装置と、本社のコンピュータがネットワークで接続されたシステムの実施形体を示した図である。
【図２】本社のコンピュータの概略図である。
【図３−１】雑誌の表表紙、裏表紙を図示したものである。
【図３−２】雑誌中の加盟店、配布店の勧誘ページ及び雑誌の内容を図示したものである。
【図３−３】雑誌中の通信販売のページ及び白紙のページを図示したものである。
【図３−４】雑誌の裏表紙のＩＤ番号の拡大図である。
【図４】顧客と加盟店が取引を行う状態を図示したものである。
【図５】顧客と本社が取引を行う状態を図示したものである。
【図６−１】雑誌の流通経路を図示したものである。
【図６−２】雑誌入手後の顧客の雑誌活用ルートを図示したものである。
【図７】加盟店、配布店、代理店、本社の売上手数料の分配表である。
【発明を実施するための形態】
【００２４】
本発明の概要を説明すると、本発明は、雑誌７０を基本として商品８０の販売又は人の繋がりを基本とする商品８０販売システムであり、雑誌７０の提供を受ける顧客１と、雑誌７０に広告を載せ、雑誌７０を持参した顧客１にサービスを提供する加盟店１０と、雑誌７０を取扱う代理店２０と、雑誌７０を販売する配布店３０と、商品８０の販売、雑誌７０の製作、注文及び加盟店１０、代理店２０、又は配布店３０とのビジネス全体を統括する本社４０とで構成され、図１に示したように、顧客１、加盟店１０、代理店２０、又は配布店３０の端末装置３、１１、２１、３１と、本社４０のコンピュータ４１がネットワークを通じて、接続されている。
【００２５】
そして、この雑誌７０の活用方法を概説すると、この雑誌７０の提供を受けた顧客１は、雑誌７０に付されたＩＤ番号７１等を基に、雑誌７０に掲載された商品８０を購入することができ、また、この顧客１は、雑誌７０を加盟店１０に持参すると、この加盟店１０が行なう業務の範囲内で、様々なサービスを受けることができる。例えば、食料品店では、各種の食べ物、飲料水、お酒、ビールとか、惣菜等の商品を、美容院では、整髪・パーマネント・シャンプー・マッサージ等のサービスの割引を、或いはメガネ屋では、メガネ、補聴器、宝石等の商品を、さらに電気店では、各種電気製品の割引と、旅行会社による旅行の割引、お土産セットの提供、等が考えられる。このような状況の基で、顧客１は、雑誌７０を基に様々な特典を得ることができること、また、これによって、生活・余暇等をエンジョイできる。また、加盟店１０等が売上手数料を受け取ることができる。以下、その内容の好ましい、一例を説明する。
【００２６】
上述のように各種の特典を受けるためには、最初に、加盟店１０、代理店２０、又は配布店３０、本社４０、図示しない、本屋（書店）、スーパー等の催し物・集客所、インターネット等で、雑誌７０を入手する必要がある。例えば、この入手方法は、雑誌７０を、顧客１が、加盟店１０で入手するか、一般の書店で入手するか、或いは催し物の会場で入手するかのそれぞれの方法がある。そして、原則として、有料であるが、場合により、顧客１の待遇、購入金額・回数等の状況、イベント、サービス月間等の状況下では、無料とすることもあり得る。いずれにしても、この雑誌７０の配布部数の拡大を図る。
【００２７】
また、雑誌７０の内容としては、様々な内容の記事を掲載するが、例えば、健康関連、病気関連、年金・保険関連、図３−２のような旅行関連、医療制度関連等の記事を掲載する。この健康関連の内容としては、食事の取り方、水・お酒・嗜好品の摂取と、その量等のアドバイスと、病気関連の内容としては、病気の予防、特に癌、脳卒中、痴呆予防、骨粗鬆症の予防方法、又は年金・保険関連の内容としては、「後期高齢者医療制度」の解説を、旅行関連の内容としては、国内外の著名な建造物、イベントの内容、祭りの内容等の紹介を、さらに、医療制度関連の内容としては、全国の医療機関の紹介、名医・専門医の紹介と、薬の紹介等を掲載する。そして、各地方の独特の特徴を掲載することも当然である。
【００２８】
尚、雑誌７０には、このような健康関連等の記事の他、図３−３の白紙のページを設ける。この白紙のページには、将来的には、加盟店１０の広告その他の広告、前記の図３−２に挙げた各種の記事と、主催者等の広告・案内等の記事を掲載する。そして、この白紙のページに加盟店１０等の広告・案内・勧誘及び／又は紹介コーナー、その他の事項（事柄）等を掲載する。これによって、例えば、顧客１等に商品８０・業種案内・勧誘及び／又は紹介、更には憩いの空間・人、商品との出会い等を意図した、生活と趣味をエンジョイできる事項がある。また、同じく図３−３で図示したように、顧客１が購入できる商品８０の紹介、特徴、又は大切な価格と、健康器具等の使用方法を、それぞれ親切、かつ理解し易くした事項を、それぞれのページに掲載する構成である。
さらに、雑誌７０には、スポンサーページを設け、このスポンサーページに商品８０を掲載することができる。
【００２９】
また、図３−１、図３−４で図示したように、雑誌７０の、少なくとも、裏表紙等にはＩＤ番号７１が付されている。また、必要により、図示しないが、商品８０、広告等の事項に、ＩＤ番号７１を付し（以下、商品８０に付したＩＤ番号７１として説明する）、その商品８０、広告等の履歴と、雑誌、加盟店１０、代理店２０、又は配布店３０の履歴を明確にすることで、本社４０の管理をし易くすることも可能である。尚、このＩＤ番号７１の活用の一例は、顧客１が、ＩＤ番号７１等を基に、商品８０を注文することができるが、このＩＤ番号７１を入力しないと、商品８０が注文できないシステムであり、注文後のトラブル解消と、主として、本社４０において、前記履歴の把握を確実にする。
【００３０】
このＩＤ番号７１の好ましい、一例を説明すると、図３−４の如く、向かって、左から、コード７１ａと、地域コード７１ｂ、店舗コード７１ｃ、商品コード７１ｄ等が、右に向かって、順次、表示された構成である。そこで、このコード７１ａと、地域コード７１ｂ、店舗コード７１ｃ、商品コード７１ｄを、以下に詳細に説明する。
【００３１】
最初に、［コード７１ａ］について述べる。このコード７１ａとは、加盟店１０、代理店２０、又は配布店３０等をアルファベットで表示する構造である。例えば、「Ａ」は、加盟店１０、「Ｈ」は、代理店２０、「Ｂ」は、配布店３０等のようにする。従って、「Ａ」であれば「加盟店１０」が、「Ｈ」であれば「代理店」が雑誌７０を配布したことが容易に認識できる。尚、このコード７１ａの活用は、後述するコンピュータ４１の照合部４１ｂ、演算部４１ｃ等を利用し、この加盟店１０、代理店２０、配布店３０のうちの誰が、雑誌７０を購入したか、又は配布したか等の動作を特定できることにある。
【００３２】
次に、［地域コード７１ｂ］について述べる。この地域コード７１ｂとは、例えば、雑誌７０を配布した加盟店１０、代理店２０、配布店３０の所在地の都道府県を、数字で表示する構造である。例えば、加盟店１０の住所が北海道にあれば「１」、東京にあれば「２０」、大阪にあれば「３０」等のように表示する。これによって、前述と同様に、コンピュータの照合部、演算部等を利用し、雑誌７０を配布した加盟店１０、代理店２０、配布店３０の住所が「東京」であるか否かを特定でき、どの地域に、雑誌７０が配布され、その配布数が把握できる。従って、今後の商圏の拡充と、補填の計画が明確となる。
【００３３】
次に、［店舗コード７１ｃ］について述べる。この店舗コード７１ｃとは、例えば、この販売システムに関与する加盟店１０、代理店２０、配布店３０等のグループの中で、それぞれの店舗に与えられるコードで、数桁で表示される。例えば、５桁の数字で表示される場合は、最大で９９，９９９店舗となる。尚、「００００１」は、東京の渋谷のイ店舗と、また、「００，００２」は、東京の練馬のイ店舗と、さらに、「００００３」は、東京の千代田のハ店舗等のように表示する。これによって、前述と同様に、コンピュータ４１の照合部４１ｂ、演算部４１ｃ等を利用し、店舗の分布状況が把握でき、どの地域に、店舗が存在し、この店舗の分布数が把握できる。従って、今後の商圏の拡充と、補填の計画が明確となる。
【００３４】
最後に、［商品コード７１ｄ］について述べる。この商品コード７１ｄとは、例えば、雑誌７０を配布した店舗が取り扱う商品８０を数字で表示している。例えば、「０」は、食料品、「１」は、健康に関する物、「２」は、娯楽用品、「３」は、その他の物等のように表示し、「０」であれば、雑誌７０を配布した店舗が取り扱う商品８０は「食料品」であることが容易に認識できる。これによって、前述と同様に、コンピュータ４１の照合部４１ｂ、演算部４１ｃ等を利用し、売れ筋の商品と、その製造と補完及び／又は在庫管理をどのようにするかを選択でき、商売の流れが確保できる。各店舗の売上向上と、スムースな商売ができる。
【００３５】
そして、前述した、コード７１ａと、地域コード７１ｂ、店舗コード７１ｃ、商品コード７１ｄ等を、適宜、組合せ、又は総合することで、雑誌７０を主体とした、流通システムを構築でき、かつこの運営管理と、加盟店１０、代理店２０、配布店３０、及び本社４０の繋がりと、信頼関係を強固にできる。
【００３６】
図１、図２は、本社４０のコンピュータ４１の概略の一例を示したものであり、このコンピュータ４１は、登録部４１ａと、照合部４１ｂと、また、演算部４１ｃと、検索部４１ｄで構成されている。また、演算部４１ｃには、演算補助部４１ｃ１を付加することも可能である。
【００３７】
また、図３−１〜図３−４は、雑誌７０の一例を示したものであり、この雑誌７０の加盟店１０の広告欄、通信欄には、この加盟店１０独特のサービスを享受できる広告等がある。例えば、この加盟店１０に、顧客１が、雑誌７０を持参した場合のサービスの提供の一例を説明する。「Ａ−１」美容院では、シャンプー・トリートメントが無料、「Ａ−２」エステ店では○○○○円以上のメニューより○○○○円割引、「Ａ−３」整体院では、毎回○○○円割引、「Ａ−４」そば屋、定食屋では、飲食の方１名様につき○○○円割引、「Ａ−５」喫茶店ではコーヒーチケットに限り○○○円割引、「Ａ−６」居酒屋では指定ドリンクをワンドリンクサービス、「Ａ−７」マッサージその他の治療院ではお一人様○○○円割引、「Ａ−８」米屋では○○○○円以上のお買い物につきペットボトル飲料○本プレゼント、「Ａ−９」花屋では○○○○円以上のお買い物で長持ち液プレゼント、「Ａ−１０」焼肉店ではワンドリンクサービス、「Ａ−１１」パン屋では○○○○円以上のお買い物で○○○円割引等のようなサービスを提供する。そして、また、この雑誌７０には、前述した、図３−２のような旅行関連、医療制度関連等の記事を掲載する。尚、図３−３の白紙のページは、何時でも、加盟店１０、代理店２０、等の広告・情報を受け付ける。また、新規の加盟店１０候補、代理店２０候補等を募集する。
【００３８】
次に、加盟店１０、代理店２０、又は配布店３０の仕組みと、図７に示した受取る売上手数料について説明する。
【００３９】
この加盟店１０となるためには、一定の条件を満たす必要がある。以下、加盟店１０の登録条件の一例を説明する。「条件１」は、登録料として、１０，０００円納付する。その内訳は、登録管理費が５，０００円、販売備品としてのゴム印が２，５００円、ファイルが１，５００円、送料が１，０００円である。また、その他として、希望者のみ名刺作成料として１，５００円（１００枚）必要となる。次に、「条件２」は、年会費を納付する。この年会費とは、年４回の発行の雑誌代金（一冊５０円  ２００冊分）である。なお、この雑誌７０の代金には、送料等も含まれる。この「条件１」と、「条件２」とを満たすことで、加盟店１０となることができ、加盟店１０には、ＩＤ番号７１が付与されるとともに、売上に対応した売上手数料を受け取ることができる。この加盟店１０の売上手数料の配当率は、図６の如く、後述する配布店３０や代理店２０や本社４０の配当率よりも高い。その理由は、加盟店１０が、最初に雑誌７０を配布し、登録料等の高額の支払いがあること、本社４０に貢献し、かつ販売システムの中枢を担うこと、又は雑誌７０に広告すること、等が理由である。
【００４０】
次に、配布店３０について説明すると、この配布店３０となるためには、登録料１００，０００円納付する等、一定の条件を満たす必要がある。そして、配布店３０登録のときに、ＩＤ番号７１が付与される。この配布店３０は、雑誌７０を販売する。また、この配布店３０は、売上手数料が加盟店１０に次いで高くなる。そして、図７の如く、この配布店３０の売上手数料の分配に基いて支払われる。
【００４１】
そして、特例として、例えば、配布店３０よりも加盟店１０のほうが売上手数料の分配率が高いので、配布店３０から加盟店１０に変更することが可能である。また、配布店３０と加盟店１０の両方ともになることができるが、配布店３０の売上手数料と加盟店１０の売上手数料の両方の売上手数料を受け取ることはできない。その理由は、販売システムの根幹が崩れる虞があること、また、悪事を働くこと、競争原理が崩れること、等が考えられる。尚、例外として、配布店３０の名前と加盟店１０の名前が相違すれば両方の売上手数料を受け取ることは可能である。この配布店３０の名前と加盟店１０の名前が相違するか否かの点も、コンピュータ４１の照合部４１ｂで判断できる。
【００４２】
また、代理店２０について説明すると、この代理店２０は、雑誌７０の注文を取ったり、また、加盟店１０や配布店３０を開拓する。以上のような位置づけから、この代理店２０は、加盟店１０よりも売上手数料の分配率が低い。そして、図７の如く、この代理店２０の売上手数料の分配に基いて売上手数料が支払われる。
【００４３】
この流通システムの主体となる本社４０について説明すると、この本社４０は、商品８０の販売、宣伝広告や、コンピュータ４１の保守管理と、雑誌７０の編纂・製作、注文等の基本的な作業と、この加盟店１０、代理店２０、又は配布店３０を取り纏めること、又はこの流通システムのビジネス全体を統括する。例えば、加盟店１０、代理店２０、又は配布店３０との連携をすること、この加盟店１０、代理店２０、又は配布店３０の啓蒙と、意気疎通等のために教育、会議を行なうこと、そして、また、商品８０の展示会等を行う。
【００４４】
本発明の流通システムの流れを、図４〜図６−２に沿って以下、説明する。顧客１は配布店３０等から雑誌７０の提供を受けて、雑誌７０を入手する。そして、この顧客１が雑誌７０に掲載された商品８０の注文を希望する場合は、顧客１は端末装置３から本社４０のホームページの「登録フォーム」にＩＤ番号７１の他、顧客１の名前、住所等も入力する。
【００４５】
この入力によって本社４０のコンピュータ４１の登録部４１ａにＩＤ番号７１及び顧客１の名前、住所等が登録される。これらの情報は、顧客１が誰で何処に住んでいるか、顧客１が誰から雑誌７０の提供を受けたか、顧客１がどの商品８０を注文したか等の情報が登録される等の他、これらの情報から、地域によって顧客１の趣向が異なるか、顧客１がどのような商品８０を好むか、どの年齢層の顧客１がどの商品８０を好むか、今後はどのような商品８０が売れるのか等の情報を予想することもできる。従って、この情報を基に雑誌７０には売れ筋の商品８０を掲載することができる。また、商品８０の販売を行う本社４０が、商品８０の仕入れを無駄なく行うことができるため、よく売れる商品８０等は大量に仕入れて、あまり売れない商品８０は仕入れを控える等の措置を採ることができる。
【００４６】
顧客１は、商品８０の注文を希望する注文の際にも、端末装置３から本社４０のホームページの「入力フォーム」にＩＤ番号７１及び顧客１の名前、住所等を入力する。そして、照合部４１ｂで、登録部４１ａに登録されたＩＤ番号７１及び顧客１の名前、住所等と顧客１が入力したＩＤ番号７１と顧客１の名前、住所等を照合する。このようにして、顧客１は、商品８０注文の際に入力したＩＤ番号７１及び顧客１の名前、住所等が登録部４１ａに登録されていれば、顧客１は商品８０を購入することができる。即ち、ＩＤ番号７１と顧客１の名前、住所等の登録がない場合や、顧客１がＩＤ番号７１と顧客１の名前、住所等を入力せずに商品８０注文した場合は、雑誌７０に掲載された商品８０を購入することはできない。
【００４７】
さらに、演算部４１ｃを利用して後述する売上手数料の分配を演算する。また、各端末装置３，１１，２１、３１と本社４０のコンピュータ４１は、ネットワークを通じて接続されており、顧客１の情報と、加盟店１０、代理店２０、配布店３０、又は本社４０に対する、それぞれ売上手数料の支払を各端末装置３，１１，２１、３１を介して、加盟店１０、代理店２０、配布店３０、又は本社４０に通知する。また、コンピュータ４１に顧客１が注文した商品８０の番号を登録し、かつ累計する。この売上手数料の分配率は、加盟店１０が一番高く、次に配布店３０、代理店２０、本社４０の順となる。
【００４８】
尚、加盟店１０、代理店２０、配布店３０、本社４０に分配される売上手数料は一律ではなく、図７のＥｘ１〜Ｅｘ７のように、商品８０によって売上手数料の分配率を変えることができる。ここで、加盟店１０、代理店２０、配布店３０、本社４０の売上手数料の分配率を図７に基づいて説明する。
（１）  図７のＥｘ１の場合は、総売上のうち６５％を加盟店１０等で分配する。その分配率は、加盟店１０が４０％、配布店３０が１０％、代理店２０が１０％、本社４０が５％となる。
（２）  図７のＥｘ２の場合は、総売上のうち６０％を加盟店１０等で分配する。その分配率は、加盟店１０が３５％、配布店３０が１０％、代理店２０が１０％、本社４０が５％となる。
（３）  図７のＥｘ３の場合は、総売上のうち５５％を加盟店１０等で分配する。その分配率は、加盟店１０が３０％、配布店３０が１０％、代理店２０が１０％、本社４０が５％となる。
（４）  図７のＥｘ４の場合は、総売上のうち５０％を加盟店１０等で分配する。その分配率は、加盟店１０が３０％、配布店３０が７．５％、代理店２０が７．５％、本社４０が５％となる。
（５）  図７のＥｘ５の場合は、総売上のうち４５％を加盟店１０等で分配する。その分配率は、加盟店１０が２５％、配布店３０が７．５％、代理店２０が７．５％、本社４０が５％となる。
（６）  図７のＥｘ６の場合は、総売上のうち４０％を加盟店１０等で分配する。その分配率は、加盟店１０が２０％、配布店３０が７．５％、代理店２０が７．５％、本社４０が５％となる。
（７）  図７のＥｘ７の場合は、総売上のうち３５％を加盟店１０等で分配する。その分配率は、加盟店１０が２０％、配布店３０が５％、代理店２０が５％、本社４０が５％となる。
【００４９】
また、特例として、加盟店１０、代理店２０、配布店３０が、新規加盟店１０、新規代理店２０、新規配布店３０を検索するのが困難な場合は、検索部４１ｄで新規加盟店１０、新規代理店２０、新規配布店３０を検索することができる。ネットワークで接続しているので、この検索は検索部４１ｄにアクセスすることによって容易に行うことができる。
【００５０】
さらに、他の実施例として、新規客が雑誌７０に掲載されたスポンサーページの商品８０を購入した場合の一例を説明する。加盟店１０、代理店２０、又は配布店３０が、ネットワークを通じて、新規客が、雑誌７０に掲載されたスポンサーページの商品８０を購入し、売上が発生した場合には、この加盟店１０、代理店２０、又は配布店３０に対する売上手数料を演算する。これらの売上手数料に関しては、演算部４１ｃに演算補助部４１ｃ１を付加し、この演算補助部４１ｃ１を介して行う。
【００５１】
尚、図６−１と、図６−２に示した流通システムの仕組みと、その活用を説明する。図６−１の如く、本社４０の雑誌７０が、ネットワークを介して、加盟店１０と、代理店２０と、配布店３０に至り、この雑誌７０の広告等を活用して、ビジネスが始まる。その流れが、図６−２であって、大きく二つのルートとなる。例えば、Ｘルートが、商品８０の注文から始まり、ＩＤ番号７１に基く、顧客１の特定と、履歴者（加盟店１０、代理店２０、又は配布店３０）を特定し、この特定した者に対するマージンに基く売上手数料を演算し、かつ売上手数料を支払う。そして、必要により、商品８０の累計と、履歴者の成績履歴等の累計を行った後、本社に連絡、かつ登録する。このＹルートの場合には、加盟店１０でサービスを受ける場合には、所望する加盟店１０に赴き、かつ雑誌７０を持参する。これによって、この加盟店１０特有のサービスを受けることができる。そして、また、雑誌７０の購入を享受する場合には、原則として、流通ルートの加盟店１０、代理店２０、又は配布店３０か、又は本社４０の他に、書店、イベント会場、また、別の紹介ルート等の流通過程により入手する。
【符号の説明】
【００５２】
１                顧客
３                端末装置
１０              加盟店
１１              端末装置
２０              代理店
２１              端末装置
３０              配布店
３１              端末装置
４０              本社
４１              コンピュータ
４１ａ            登録部
４１ｂ            照合部
４１ｃ            演算部
４１ｃ１          演算補助部
４１ｄ            検索部
７０              雑誌
７１              ＩＤ番号
７１ａ            コード
７１ｂ            地域コード
７１ｃ            店舗コード
７１ｄ            商品コード
８０              商品
【図１】
2010257419.tif 000003
【図２】
2010257419.tif 000004
【図３−１】
2010257419.tif 000005
【図３−２】
2010257419.tif 000006
【図３−３】
2010257419.tif 000007
【図３−４】
2010257419.tif 000008
【図４】
2010257419.tif 000009
【図５】
2010257419.tif 000010
【図６−１】
2010257419.tif 000011
【図６−２】
2010257419.tif 000012
【図７】
2010257419.tif 000013